(57)【要約】【課題】投入口の内周部分の傷付きを抑制し得る洗濯機の梱包装置を提供する。【解決手段】内部に水槽３が弾性支持される洗濯機の梱包装置であって、洗濯機は、外郭を構成する筐体１と、筐体１内に弾性支持される水槽３と、水槽３の上面開口を開閉自在に閉塞する内蓋７と、筐体１に形成される洗濯物の投入口８とを備え、投入口８内周部に当接し、内蓋７に係合する緩衝部材２０と、投入口８内周部に近接し、緩衝部材２０の外形に近接して対向する凹部を有する発泡部材３０とを有し、緩衝部材２０は、投入口８内周部と発泡部材３０との間に位置する切起こし片を形成する。【選択図】図６
2020172311.tif 000002
【特許請求の範囲】
【請求項１】
内部に水槽が弾性支持される洗濯機の梱包装置であって、
前記洗濯機は、外郭を構成する筐体と、前記筐体内に弾性支持される水槽と、前記水槽の上面開口を開閉自在に閉塞する内蓋と、前記筐体に形成される洗濯物の投入口とを備え、
前記投入口内周部に当接し、前記内蓋に係合する緩衝部材と、前記投入口内周部に近接し、前記緩衝部材の外形に近接して対向する凹部を有する発泡部材とを有し、前記緩衝部材は、前記投入口内周部と前記発泡部材との間に位置する切起こし片を形成する洗濯機の梱包装置。
【請求項２】
前記洗濯機は、前記水槽内に洗剤を供給する供給部を前記投入口内周部に配設し、前記切起こし片は、前記供給部と前記発泡部材との間に位置する請求項１に記載の洗濯機の梱包装置。
【発明の詳細な説明】
【技術分野】
【０００１】
本開示は、洗濯機輸送用の梱包装置に関するものである。
【背景技術】
【０００２】
従来、洗濯機は、洗濯機の外装を構成する筐体内に水槽が弾性支持され、水槽内に洗濯物を投入する投入口が蓋体により閉塞される。水槽の上面開口には、内蓋を設けている。
【０００３】
輸送時には、内蓋の上に段ボール部材を配設し、段ボールと嵌め合わせて発泡スチロールを配置することにより、輸送時に水槽に加わる衝撃を緩和させている。
【先行技術文献】
【特許文献】
【０００４】
【特許文献１】実開平３−１１４７７０号公報
【発明の概要】
【発明が解決しようとする課題】
【０００５】
しかしながら、衝撃により水槽が大きく動いた際には、発泡スチロールが動いて投入口内周面に当たって擦れ、投入口内周面が傷つく虞があった。
【０００６】
本開示の洗濯機の梱包装置は、上記従来の課題を解決するもので、投入口の内周部分の傷付きを抑制し得る洗濯機の梱包装置を提供することを課題とする。
【課題を解決するための手段】
【０００７】
本開示における洗濯機の梱包装置は、内部に水槽が弾性支持される洗濯機の梱包装置であって、前記洗濯機は、外郭を構成する筐体と、前記筐体内に弾性支持される水槽と、前記水槽の上面開口を開閉自在に閉塞する内蓋と、前記筐体に形成される洗濯物の投入口とを備え、前記投入口内周部に当接し、前記内蓋に係合する緩衝部材と、前記投入口内周部に近接し、前記緩衝部材の外形に近接して対向する凹部を有する発泡部材とを有し、前記緩衝部材は、前記投入口内周部と前記発泡部材との間に位置する切起こし片を形成する。
【０００８】
輸送時等に強い衝撃が加わって水槽が移動した際に、発泡部材と投入口内面との間に切起こし片が位置するので、発泡部材が投入口内面に接触するのが妨げられ、投入口内面の傷つき等が抑制される。
【発明の効果】
【０００９】
本開示における洗濯機の梱包装置は、輸送時等に強い衝撃が加わって水槽が移動した際でも、簡単な構成で、発泡部材が投入口内面に接触するのが妨げられ、投入口内面の傷つき等を抑制できる。
【図面の簡単な説明】
【００１０】
【図１】本発明の実施の形態の洗濯機の梱包状態の側断面図
【図２】同洗濯機上部の正面図
【図３】同洗濯機上部の梱包状態の断面図
【図４】同洗濯機上部の梱包状態で輸送時の衝撃エネルギーを受けた状態の断面図
【図５】同洗濯機上部の梱包状態の斜視図
【図６】同洗濯機の緩衝部材の斜視図
【発明を実施するための形態】
【００１１】
本開示は、内部に水槽が弾性支持される洗濯機の梱包装置であって、前記洗濯機は、外郭を構成する筐体と、前記筐体内に弾性支持される水槽と、前記水槽の上面開口を開閉自在に閉塞する内蓋と、前記筐体に形成される洗濯物の投入口とを備え、前記投入口内周部に当接し、前記内蓋に係合する緩衝部材と、前記投入口内周部に近接し、前記緩衝部材の外形に近接して対向する凹部を有する発泡部材とを有し、前記緩衝部材は、前記投入口内周部と前記発泡部材との間に位置する切起こし片を形成する洗濯機の梱包装置を提供する。
【００１２】
この構成により、輸送時等に強い衝撃が加わって水槽が移動した際に、発泡部材と投入口内面との間に切起こし片が位置するので、発泡部材が投入口内面に接触するのが妨げられ、投入口内面の傷つき等を抑制される。
【００１３】
また、前記洗濯機は、前記水槽内に洗剤を供給する供給部を前記投入口内周部に配設し、前記切起こし片は、前記供給部と前記発泡部材との間に位置する洗濯機の梱包装置である。
【００１４】
以下、図面を参照しながら、実施の形態を詳細に説明する。但し、必要以上の詳細な説明は省略する場合がある。
【００１５】
なお、添付図面及び以下の説明は、当業者が本開示を十分に理解するために提供されるのであって、これらにより特許請求の範囲に記載の主題を限定することは意図していない。
【００１６】
（実施の形態１）
以下、図１〜図６を用いて、実施の形態１を説明する。
【００１７】
筐体１は、洗濯機の外装を構成し、内部にサスペンション機構２により水槽３が弾性支持される。水槽３上部は、内蓋７により開閉自在に閉塞される。駆動機構の下部を覆うように保護具４が固定されている。
【００１８】
筐体１の上面には、水槽３に洗濯物を投入する投入口８が設けられ、投入口８は、筐体１に回転自在に支持される蓋体により開閉自在に覆われる。
【００１９】
筐体１の上部は、後方になるに従って漸次高くなるように形成され、投入口８の後方位置に液剤を自動投入する液剤自動投入装置の液剤タンク１０が配設される。液剤タンク１０の前面は、投入口８に臨み、投入口８側に向かって引き出し可能に配置され、液剤タンク１０内の液体洗剤と柔軟剤は、適切なタイミングで水槽３内に供給される。
【００２０】
以上のように構成された洗濯機は、輸送時には、梱包装置により輸送時のダメージを回避される。
【００２１】
洗濯機は、底部緩衝体１５上に載置され、保護具４が底部緩衝体１５の下部発泡部材５に支持される。筐体１は、段ボール等からなる箱体１４により覆われ、箱体１４内の上部には、図示しない上部緩衝体が設けられ、筐体１上部を支持する。箱体１４は、底部緩衝体１５を覆い、底部緩衝体１５とともにバンド等で結束される。
【００２２】
水槽３は、サスペンション機構２により弾性支持されているため、洗濯機輸送時においては、トラック等での輸送で発生する微振動のみならず、荷扱い時にイレギュラーで生じる製品の落下や側面からの衝撃により筐体１内部で揺動する。
【００２３】
以下に、水槽３の揺動を抑制するための梱包部品を説明する。
【００２４】
図３は、洗濯機上部の梱包状態の断面図、図４は、洗濯機上部の梱包状態で輸送時の衝撃エネルギーを受けた状態の断面図、図５は、洗濯機上部の梱包状態の斜視図、図６は、洗濯機の緩衝部材の斜視図である。
【００２５】
図６に示すように、緩衝部材２０は、略Ｔ字形状に形成され、一端側に形成した立ち上げ片２１を立ち上げた状態で、端部が投入口８周縁に当接するように装着される。中央部分には、開口部２２が形成され、開口部２２を内蓋７の取っ手部分に篏合させる。緩衝部材２０には、切起こし片２３が形成され、切起こし片２３は、液剤タンク１０の前面に位置する。これにより、緩衝部材２０により、水槽３の揺動を規制する。
【００２６】
図３及び図５に示すように、緩衝部材２０の上方から発泡スチロールからなる発泡部材３０を装着する。発泡部材３０は、立ち上げ片２１に形成された係止孔２４に一部を挿入し、緩衝部材２０の外形が近接する凹所（図示せず）に緩衝部材２０を嵌め込んで、外形が投入口８周縁に近接するように装着する。これにより、荷扱い時などに生じる製品落下等、大きな衝撃が加わって、緩衝部材２０では揺動を規制しきれないほど水槽３の揺動が大きくなった場合に、発泡部材３０の外形が投入口８周縁に当接して水槽３の揺動を規制する。
【００２７】
また、発泡部材３０は、発泡部材３０を装着した状態で、発泡部材３０が切起こし片２３の前面に位置し、切起こし片２３の倒れを防止するとともに、切起こし片２３は、発泡部材３０と液剤タンク１０との間に位置する。
【００２８】
輸送時の衝撃により水槽３が筐体１の後方側に移動する場合に、衝撃が大きく、水槽３が大きく移動して、緩衝部材２０と発泡部材３０の組み合わせによる強度で水槽３の揺動を規制できない場合が想定される。
【００２９】
輸送時の衝撃により水槽３が大きく移動した場合には、発泡部材３０が液剤タンク１０側に移動するが、発泡部材３０と液剤タンク１０の間に切起こし片２３が位置しており、切起こし片２３によって発泡部材３０が液剤タンク１０前面に接触するのを防止する。これにより、発泡部材３０が液剤タンク１０の前面を傷つけるのを防止することができる。
【００３０】
なお、本実施の形態では、投入口８周縁部に液剤自動投入装置の液剤タンク１０を配設する構成としたが、洗剤手動投入用の洗剤ケースを配設してもよく、その他の構成要件を配置するものに採用することもできる。また、投入口８周縁部に模様等の意匠を施す構成に採用することもできる。
【産業上の利用可能性】
【００３１】
本開示における洗濯機の梱包装置は、輸送時等に強い衝撃が加わって水槽が移動した際でも、簡単な構成で、発泡部材が投入口内面に接触するのが妨げられ、投入口内面の傷つき等を抑制できるので、内蓋を有さない洗濯機にも適用可能である。
【符号の説明】
【００３２】
１        筐体
２        サスペンション機構
３        水槽
４        保護具
５        下部発泡部材
８        投入口
１０      液剤タンク
１４      箱体
１５      底部緩衝体
【図１】
2020172311.tif 000003
【図２】
2020172311.tif 000004
【図３】
2020172311.tif 000005
【図４】
2020172311.tif 000006
【図５】
2020172311.tif 000007
【図６】
2020172311.tif 000008